【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
コンテンツ配信装置からストリーミングデータを取得するデータ取得部と、
前記データ取得部により取得された前記ストリーミングデータを一時的に蓄積する再生用バッファと、
前記再生用バッファに蓄積された前記ストリーミングデータを再生する再生部と、
前記データ取得部が取得する前記ストリーミングデータを変更するための制御を行う取得制御部と、
前記再生部が前記ストリーミングデータを再生する速度を変更するための制御を行う再生制御部と、
前記再生用バッファに蓄積される前記ストリーミングデータの蓄積状態を監視し、該蓄積状態に基づき受信状態が悪化したと判断したときに、該判断結果を前記取得制御部および前記再生制御部に通知するバッファ監視部とを有し、
前記データ取得部が第１の速度での再生に用いられる第１のストリーミングデータを取得している場合に、前記バッファ監視部からの前記通知に基づいて、前記取得制御部が前記第１のストリーミングデータから前記第１の速度よりも高い第２の速度での再生に用いられる第２のストリーミングデータに切り替えることを前記コンテンツ配信装置に要求することで、前記データ取得部が前記コンテンツ配信装置から取得する前記ストリーミングデータが前記第１のストリーミングデータから前記第２のストリーミングデータに変更され、
前記再生制御部は、前記第２のストリーミングデータが見かけ上前記第１の速度で再生されるように前記再生部の再生速度を変更する
ことを特徴とするコンテンツ再生装置。
【請求項２】
前記再生部が、復号化された映像信号の画像フレーム間に補間画像を生成する補間画像生成部を有し、
前記取得制御部が、前記データ取得部が取得する前記ストリーミングデータを第１の速度での再生に用いられる第１のストリーミングデータから第２の速度での再生に用いられる第２のストリーミングデータに変更し、前記再生制御部が、前記第２のストリーミングデータが見かけ上前記第１の速度で再生されるように前記再生部の再生速度を変更した際に、
前記補間画像生成部が生成した補間画像を映像信号に挿入する
ことを特徴とする請求項１に記載のコンテンツ再生装置。
【請求項３】
受信状態が回復したことを検出する検出手段をさらに有し、
受信状態の回復が検出されたら、前記取得制御部が、前記データ取得部が取得する前記ストリーミングデータを前記第２のストリーミングデータから前記第１のストリーミングデータに変更し、前記再生制御部が、前記第１のストリーミングデータが前記第１の速度で再生されるように前記再生部の再生速度を変更する
ことを特徴とする請求項１又は２に記載のコンテンツ再生装置。
【請求項４】
前記検出手段が、
前記ストリーミングデータの一部を受信状態確認用データとして取得する受信状態確認用データ取得部と、
前記受信状態確認用データ取得部により取得された前記受信状態確認用データを一時的に蓄積する受信状態確認用バッファと、
前記受信確認バッファへの前記受信状態確認用データの書き込みレートを監視し、該書き込みレートが所定値以上となったときに、受信状態が回復したと判断し、該判断結果を前記取得制御部および前記再生制御部に通知する受信状態確認用バッファ監視部とを有する
ことを特徴とする請求項３に記載のコンテンツ再生装置。
【請求項５】
前記受信確認用データ取得部によるデータの取得は、前記データ取得部が前記第２のストリーミングデータを取得しており、かつ前記再生用バッファがバッファフルに近い状態にあるときに開始され、受信状態の回復が確認されたときに、停止される
ことを特徴とする請求項４に記載のコンテンツ再生装置。
【請求項６】
コンテンツ配信装置からストリーミングデータを取得するデータ取得ステップと、
前記データ取得ステップにより取得された前記ストリーミングデータを再生用バッファに一時的に蓄積する蓄積ステップと、
前記再生用バッファに蓄積された前記ストリーミングデータを再生する再生ステップと、
前記データ取得ステップが取得する前記ストリーミングデータを変更するための制御を行う取得制御ステップと、
前記再生ステップが前記ストリーミングデータを再生する速度を変更するための制御を行う再生制御ステップと、
前記再生用バッファに蓄積される前記ストリーミングデータの蓄積状態を監視し、該蓄積状態に基づき受信状態が悪化したと判断したときに、該判断結果を前記取得制御ステップおよび前記再生制御ステップに通知するバッファ監視ステップと、
前記データ取得ステップが第１の速度での再生に用いられる第１のストリーミングデータを取得している場合に、前記バッファ監視ステップからの前記通知に基づいて、前記取得制御ステップが前記第１のストリーミングデータから前記第１の速度よりも高い第２の速度での再生に用いられる第２のストリーミングデータに切り替えることを前記コンテンツ配信装置に要求することで、前記データ取得ステップが前記コンテンツ配信装置から取得する前記ストリーミングデータが前記第１のストリーミングデータから前記第２のストリーミングデータに変更され、
前記再生制御ステップは、前記第２のストリーミングデータが見かけ上前記第１の速度で再生されるように前記再生ステップの再生速度を変更する
ことを特徴とするコンテンツ再生方法。
【請求項７】
前記再生ステップが、復号化された映像信号の画像フレーム間に補間画像を生成する補間画像生成ステップを有し、
前記取得制御ステップが、前記データ取得ステップが取得する前記ストリーミングデータを第１の速度での再生に用いられる第１のストリーミングデータから第２の速度での再生に用いられる第２のストリーミングデータに変更し、前記再生制御ステップが、前記第２のストリーミングデータが見かけ上前記第１の速度で再生されるように前記再生ステップの再生速度を変更した際に、
前記補間画像生成ステップが生成した補間画像を映像信号に挿入する
ことを特徴とする請求項６に記載のコンテンツ再生方法。
【請求項８】
受信状態が回復したことを検出する検出ステップをさらに有し、
受信状態の回復が検出されたら、前記取得制御ステップが、前記データ取得ステップが取得する前記ストリーミングデータを前記第２のストリーミングデータから前記第１のストリーミングデータに変更し、前記再生制御ステップが、前記第１のストリーミングデータが前記第１の速度で再生されるように前記再生ステップの再生速度を変更する
ことを特徴とする請求項６又は７に記載のコンテンツ再生方法。
【請求項９】
前記検出ステップが、
前記ストリーミングデータの一部を受信状態確認用データとして取得する受信状態確認用データ取得ステップと、
前記受信状態確認用データ取得ステップにより取得された前記受信状態確認用データを受信状態確認用バッファに一時的に蓄積するステップと、
前記受信確認バッファへの前記受信状態確認用データの書き込みレートを監視し、該書き込みレートが所定値以上となったときに、受信状態が回復したと判断し、該判断結果を前記取得制御ステップおよび前記再生制御ステップに通知する受信状態確認用バッファ監視ステップとを有する
ことを特徴とする請求項８に記載のコンテンツ再生方法。
【請求項１０】
前記受信確認用データ取得ステップによるデータの取得は、前記データ取得ステップが前記第２のストリーミングデータを取得しており、かつ前記再生用バッファがバッファフルに近い状態にあるときに開始され、受信状態の回復が確認されたときに、停止される
ことを特徴とする請求項９に記載のコンテンツ再生方法。
【手続補正２】
【補正対象書類名】明細書
【補正対象項目名】００１０
【補正方法】変更
【補正の内容】
【００１０】
本発明のコンテンツ再生装置は、
コンテンツ配信装置からストリーミングデータを取得するデータ取得部と、
前記データ取得部により取得された前記ストリーミングデータを一時的に蓄積する再生用バッファと、
前記再生用バッファに蓄積された前記ストリーミングデータを再生する再生部と、
前記データ取得部が取得する前記ストリーミングデータを変更するための制御を行う取得制御部と、
前記再生部が前記ストリーミングデータを再生する速度を変更するための制御を行う再生制御部と、
前記再生用バッファに蓄積される前記ストリーミングデータの蓄積状態を監視し、該蓄積状態に基づき受信状態が悪化したと判断したときに、該判断結果を前記取得制御部および前記再生制御部に通知するバッファ監視部とを有し、
前記データ取得部が第１の速度での再生に用いられる第１のストリーミングデータを取得している場合に、前記バッファ監視部からの前記通知に基づいて、前記取得制御部が前記第１のストリーミングデータから前記第１の速度よりも高い第２の速度での再生に用いられる第２のストリーミングデータに切り替えることを前記コンテンツ配信装置に要求することで、前記データ取得部が前記コンテンツ配信装置から取得する前記ストリーミングデータが前記第１のストリーミングデータから前記第２のストリーミングデータに変更され、
前記再生制御部は、前記第２のストリーミングデータが見かけ上前記第１の速度で再生されるように前記再生部の再生速度を変更する
ことを特徴とする。